(57)【要約】      （修正有）【課題】ほぼ直線状である本体部分の両端に同じ側に屈曲された曲がり部を持つ形状の長尺部材を、形状も小さくかつより少ない数の支持部材でもって、安定した状態に支持しかつ梱包した梱包体を提供する。【解決手段】長尺部材１０における本体部分１２の２箇所に曲がり部１３の屈曲方向に延出する２つの支持補助板２０、２０を設ける。そして、２つの支持補助板２０、２０を支持部材によって支持させた状態で梱包する。２個の支持部材でもって、ほぼ直線状である本体部分１２の両端に同じ側に屈曲された曲がり部１３を持つ形状の長尺部材１０を、パレット４０上に安定した姿勢で固定することができる。【選択図】図４
0003180601.tif 000002
【実用新案登録請求の範囲】
【請求項１】
ほぼ直線状である本体部分の両端に同じ側に屈曲された曲がり部を持つ長尺部材の梱包体であって、
前記長尺部材は、前記本体部分の２箇所に前記曲がり部の屈曲方向に延出された２つの支持補助板を有しており、前記２つの支持補助板が支持部材によって支持された状態で梱包されていることを特徴とする両端に曲がり部を持つ長尺部材の梱包体。
【請求項２】
前記支持補助板は、前記長尺部材の重心の位置を超えて延設されていることを特徴とする請求項１に記載の両端に曲がり部を持つ長尺部材の梱包体。
【請求項３】
前記支持補助板は、前記長尺部材の構成の一部または梱包作業のときに装着されるものであることを特徴とする請求項１または２に記載の両端に曲がり部を持つ長尺部材の梱包体。
【請求項４】
前記長尺部材と前記支持部材との組み合わせ体が必要な場合には第２の支持部材を介装して多段に積層されていることを特徴とする請求項１ないし３のいずれか一項に記載の両端に曲がり部を持つ長尺部材の梱包体。
【請求項５】
前記長尺部材が自動車のバンパーであることを特徴とする請求項１ないし４のいずれか一項に記載の両端に曲がり部を持つ長尺部材の梱包体。
【考案の詳細な説明】
【技術分野】
【０００１】
本考案は長尺部材、特にほぼ直線状である本体部分の両端に同じ側に屈曲された曲がり部を持つ長尺部材の梱包体に関する。
【背景技術】
【０００２】
長尺状の機械部品等をパレットに載せて搬送するようなときに、緩衝材としての機能を果たす発泡樹脂製の支持部材によってその両端部を支持した状態として梱包し搬送することが行われている（特許文献１、２等参照）。
【先行技術文献】
【特許文献】
【０００３】
【特許文献１】特開２００５−２１９７９１号公報
【特許文献２】特開２０１０−７６７８３号公報
【考案の概要】
【考案が解決しようとする課題】
【０００４】
梱包品がほぼ直線状の機械部品の場合には、その両端を、必要とされる最小限の大きさの支持部材で部分的に支持することで、安定した梱包体とすることができる。しかし、図５（ａ）に示すように、自動車のバンパーのようなほぼ直線状である本体部分２と、その両端に同じ側（方向）に屈曲された曲がり部３、３を持つ形状の長尺部材１の場合には、図５（ｂ）に示すように、重心Ｗは、本体部分２よりも曲がり部３が屈曲する方向に偏位した位置にあることから、曲がり部３、３の先端部分のみを支持部材４、４で支持した姿勢では、長尺部材１は矢印Ｐ１方向、すなわち図で時計方向に回転しがちとなり、また、ほぼ直線状の本体部分２のみを支持部材５で支持した姿勢では、長尺部材１は矢印Ｐ２方向、すなわち図で反時計方向に回転しがちとなる。そのために、曲がり部３、３の先端部分２箇所と本体部分２の中央部１箇所との計３箇所を支持部材によって支持した状態で梱包体とすることで、搬送中での梱包品の姿勢の安定化を図るのが通常である。
【０００５】
もちろん、曲がり部３、３の全体を支持できる長さを持つ支持部材を２個用いることで、または長尺部材１の全体を支持できる平面積の広い支持部材を１個用いることで、ほぼ直線状である本体部分２の両端に同じ側に屈曲された曲がり部３、３を持つ長尺部材１を安定的に支持することができる。しかし、いずれの場合も、支持部材は大型のものにならざるを得ず、多くの材料を必要とし、廃棄するときの環境に対する負荷が大きくなるのを避けられない。さらに、材料費も高くなり、また、非使用時での広い保管スペースも必要となる。
【０００６】
本考案は上記のような事情に鑑みてなされたものであり、ほぼ直線状である本体部分の両端に同じ側に屈曲された曲がり部を持つ形状の長尺部材を、形状も小さくかつより少ない数の支持部材でもって、安定した状態に支持しかつ梱包することができるようにし、それにより廃棄時での環境負荷も低減することができる、より改良された梱包体を提供することを課題とする。
【課題を解決するための手段】
【０００７】
本考案による梱包体は、ほぼ直線状である本体部分の両端に同じ側に屈曲された曲がり部を持つ長尺部材の梱包体であって、前記長尺部材は前記本体部分の２箇所に前記曲がり部の屈曲方向に延出された２つの支持補助板を有しており、前記２つの支持補助板が支持部材によって支持された状態で梱包されていることを特徴とする。
【０００８】
本考案による梱包体では、長尺部材の本体部分の両端の２箇所に形成された曲がり部の屈曲方向に延出する２つの支持補助板を、支持部材で支持するようにしたので、従来の３箇所で支持する場合と比較して、支持部材の数を１つだけ減数することが可能となる。そのために、支持部材に要する材料量の低減が可能であり、廃棄時での環境負荷も低減できる。
【０００９】
本考案による梱包体において、前記支持補助板の幅および長さは、支持補助板を支持する支持部材が、梱包する長尺部材の重量によって部分的に潰れたり破損したりしないだけの荷重分散を支持部材に与えることのできる支持面積が得られることを条件に、適宜設定する。好ましくは、支持補助板の長さは、前記長尺部材のほぼ直線状である本体部分から少なくともその重心位置までに達する長さとされ、より好ましくは、支持補助板は、前記長尺部材の重心の位置を超えて延設されている。支持補助板の幅は、その長さにおいて前記した荷重分散に必要な平面積が得られるだけの幅とされる。それにより、少ない材料からなる支持部材でもって、前記長尺部材を不用意に回動しない状態で安定的に支持することができる。
【００１０】
本考案による梱包体において、前記支持補助板は、前記長尺部材の構成の一部であってもよく、梱包作業のときに装着されるものであってもよい。例えば、前記支持補助板は、梱包時に長尺部材の本体部分にねじ止めあるいは溶着等によって固定したものであってもよく、長尺部材が部材の一部としてその本体部分の適所に支持補助板として機能することのできる部材を予め備えている場合には、その部材をそのまま用いることもできる。支持補助板を梱包時に固定する場合には、２つの支持補助板は、その本体部分の中心位置から対称の位置に固定することが好ましい。支持補助板として機能することのできる２個以上の部材を予め備えている長尺部材を梱包する場合には、その中から任意の２つの部材を支持補助板として選択し、梱包すればよい。
【００１１】
本考案による梱包体は、例えばパレットの上に、前記長尺部材と前記支持部材との組み合わせ体が一段だけ配置されたものでもよく、多段に積層されたものでもよい。多段に積層する場合には、必要に応じて、下位の支持部材と上位の支持部材との間に、第２の支持部材が介装される。いずれの場合であっても、梱包品である前記長尺部材に接触しないようにして、前記長尺部材と前記支持部材との組み合わせ体の全体に梱包用の止め付けバンドを引き回し、その両端をパレットに固定することで、安定した状態の梱包体が得られる。好ましくは、最上位の支持部材あるいは第２の支持部材の頂部を通るようにして止め付けバンドを引き回す。その際に、止め付けバンドが前記長尺部材に接触するのをより確実に阻止できるように、最上位の支持部材あるいは第２の支持部材の上にガイド部材を配置して、その上を止め付けバンドが通るようにするのが好ましい。
【００１２】
本考案による梱包体において、梱包品としての前記長尺部材をその長手方向と平行に複数個並列させた状態で、梱包体とすることもできる。その場合には、支持部材として、並列した前記長尺部材の数に応じた数の前記支持補助板支持部を備えた長尺状の支持部材が用いられる。
【００１３】
本考案において、支持部材は梱包品である前記長尺部材に対して適宜の緩衝性を備え、かつ所要の機械的強度を有する任意の材料により作ることができる。好ましくは、成形の容易性や軽量性の観点から、発泡樹脂成形品が好適であり、より好ましくは型内発泡成形品である。より好ましくは熱可塑性樹脂の発泡成形品であり、熱可塑性樹脂には、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。発泡体の倍率は、梱包しようとする長尺部材の重量や形状等を勘案して適宜設定すればよいが、緩衝性がよく、軽量で経済的である点から、好ましくは４０〜６０倍程度、より好ましくは５０倍（０．０２０ｇ／Ｌ）程度である。
【００１４】
本考案において、梱包品としての「ほぼ直線状である本体部分の両端に同じ側に屈曲された曲がり部を持つ長尺部材」は特に限定されないが、例として、自動車のバンパーを挙げることができる。
【考案の効果】
【００１５】
本考案によれば、ほぼ直線状である本体部分の両端に同じ側に屈曲された曲がり部を持つ形状の長尺部材を、形状も小さくかつより少ない数の支持部材でもって、安定した状態に支持しかつ梱包することができる。それにより、支持部材を廃棄するときの環境負荷を低減することも可能となる。
【図面の簡単な説明】
【００１６】
【図１】本考案において梱包の対象となる梱包品の一例を説明するための図。
【図２】本考案による梱包材の一例を説明するための図であり、図２（ａ）は全体の斜視図、図２（ｂ）は図２（ａ）のｂ−ｂ線での断面図。
【図３】支持部材の他の例を説明するための図。
【図４】図３に示した支持部材を用いた梱包体を説明するための図。
【図５】ほぼ直線状である本体部分の両端に同じ側に屈曲された曲がり部を持つ長尺部材を梱包するときの一般的な態様を説明するための図。
【考案を実施するための形態】
【００１７】
以下、図面を参照しながら本考案の一実施の形態を説明する。
図１は、本考案による梱包体において梱包の対象となる長尺部材の一例を示している。前記長尺部材１０は、基本的には図５で説明した形態の長尺部材１と同じであり、長さＬ１であるほぼ直線状の本体部分１２と、その両端に同じ側（方向）に屈曲する同じ長さＬ２の曲がり部１３、１３を持つ。この例において、曲がり部１３、１３は、本体部分１２に対してほぼ９０度の角度で屈曲している。従って、この長尺部材１０の重心Ｗの位置は、本体部分１２の長手方向の中心Ｐを通る本体部分１２に直交する線上であって、曲がり部１３の重量に応じた分だけ本体部分１２から曲がり部１３側の屈曲する方向に偏位した箇所となる（図２（ｂ）も参照）。
【００１８】
上記の長尺部材１０を梱包するに際しては、本体部分１２の中心Ｐからそれぞれ所定距離Ｓ、Ｓだけ離れた位置に、２枚の平板状をなす支持補助板２０、２０を取り付ける。取り付けの態様に制限はない。長尺部材１０を実際に使用するときに支持補助板２０、２０の存在が障害とならない場合には、溶着等によって固着してしまってもよい。使用時に障害物となる場合には、ねじ止め手段や嵌め込み手段などを用いて、支持補助板２０、２０を着脱自在に取り付ける。
【００１９】
支持補助板２０、２０の長さは、前記した長尺部材１０の重心Ｗの位置を超える長さであることが望ましい。また、支持補助板２０、２０の横幅は、後記する支持部材３０が長尺部材１０からの重量によって部分的に潰れたり破損しないだけの支持面積が得られるように、その長さとの関係で、適宜設定する。長尺部材１０が、その本体部分１２に、支持補助板２０、２０に相当する部材を予め備えている場合には、別途支持補助板２０、２０を取り付けることなく、予め備えている部材を支持補助板２０、２０として用いることができる。
【００２０】
図２は、図１に示した長尺部材１０を支持部材３０を用いて梱包体Ａとした状態を示している。この例において、支持部材３０は、ポリスチレンとポリエチレンを含む複合樹脂による発泡倍率５０倍（０．０２０ｇ／Ｌ）の発泡樹脂一体成形品であり、底板３１と前後の縦板３２、３２とで囲まれた、上方が開放した空間３３を有している。空間３３は前記した支持補助板２０を収容するためのものであり、空間３３の底面の大きさは支持補助板２０の大きさとほぼ等しいか、それよりもわずかに大きくされている。また、空間３３の高さ、すなわち縦板３２の高さは、長尺部材１０の前記本体部分１２の縦幅に支持部材３０の厚みを加えた長さとほぼ等しいか、それよりもわずかに大きくされている。
【００２１】
梱包に当たっては、パレット４０の上に、２個の前記した支持部材３０を置く。そして、それぞれの支持部材３０の前記空間３３、３３内に、支持補助板２０が収容されるようにして、長尺部材１０を配置する。それにより、図２に示すように、長尺部材１０は、パレット４０の表面から支持部材３０の底板３１の厚みだけ離れた状態で、安定した姿勢で保持される。その後、支持部材３０の縦板３２、３２の上端面を通るようにして、パレット４０との間で止め付けバンド４１を掛け渡すことで、梱包体Ａとされる。
【００２２】
上記のように、本考案による梱包体Ａでは、長さＬ１であるほぼ直線状の本体部分１２と、その両端に同じ側に屈曲する同じ長さＬ２の左右の曲がり部１３、１３を持つ長尺部材１０を、２個の支持部材３０、３０のみで、安定した状態でパレット４０の上に配置しかつ固定することができる。また、使用する支持部材３０は、長尺部材１０に取り付けた（あるいは長尺部材１０が予め備える）支持補助板２０（あるいは相当体）を収容できる大きさの空間３３を備えることのできる大きさであればよく、所要の機械的な強さを備えることを条件に小型化が可能である。従って、本考案による梱包体Ａでは、従来の梱包体と比較して、支持部材３０に要する材料（例えば、発泡樹脂材料）を少なくすることができる。
【００２３】
図３、図４は、支持部材の他の形態とそれを用いた梱包体を示している。この支持部材３０Ａは、複数個（図示のものでは５個）の前記空間３３を一定の間隔をおいて有している点で、図２に示した支持部材３０と相違している。この形態の支持部材３０Ａを用いることにより、複数個（図示のものでは５個）の長尺部材１０を同時にかつ安定的に梱包した梱包体Ａを容易に得ることができる。なお、この態様の支持部材３０Ａにおいては、隣接する長尺部材１０の前記曲がり部１３、１３同士が干渉しないようにすることが必要となる。
【００２４】
なお、本考案による梱包体において、梱包の対象となる長尺部材１０によっては、左右の曲がり部１３、１３の大きさや形状が異なっている場合がある。また、本体部分１２も長手方向で形状が異なっている場合もある。そのような場合には、長尺部材１０の重心Ｗの位置を長尺部材１０ごとに演算して求め、少なくともその重心位置を挟むようにして、２つの支持補助板２０、２０を取り付ける。その場合に、２つの支持補助板２０、２０の取り付け位置との関係で、それぞれが負担する荷重の大きさが異なってくる場合には、それに応じて、単位面積あたりの荷重が等しくなるように２つの支持補助板２０、２０を異なった面積のものとすることが好ましい。また、支持部材３０においても、支持補助板２０の面積に応じて、その空間３３の底面の大きさを適宜設定することで、少ない材料で所期の目的を達成できる支持部材３０とすることができる。
【００２５】
また、図１に示した長尺部材１０では、本体部分１２の下縁側に２つの支持補助板２０、２０を取り付けたが、上縁側に取り付けてもよい。場合によっては、一方を下縁側、他方を上縁側に取り付けてもよい。長尺部材１０が曲がり部１３、１３側に延出する多数の部材を予め有している形状のものである場合には、そこから適宜の２個を選択して支持補助板２０、２０として用いるようにしてもよい。いずれにしても、その支持補助板２０の位置および形状に応じて、支持部材３０の前記空間３３の大きさと形状、およびパレット４０上での配置位置を設定する。さらに、左右の曲がり部１３、１３の形状は任意であり、図１に示すような板状体でなく曲率を備えた形状であってもよく、本体部分１２に対しても弧を含む任意の角度で屈曲していてもよい。
【００２６】
図２に示した形状の梱包体Ａにおいて、梱包された長尺部材１０の上方がフリーになっていることから、搬送中の振動等で長尺部材１０が上下方向に不規則に移動することが起こり得る。特に図示しないが、それを回避するために、長尺部材１０の上方側を押さえ込むことのできる適宜形状の第２の支持部材を用いるようにしてもよい。第２の支持部材の上を通るようにして止め付けバンド４１を掛け渡すことで、一層安定した状態の梱包体が得られる。
【００２７】
また、図２、図４では、長尺部材１０が１段である梱包体を示したが、下位の支持部材３０の上に、上位の支持部材３０を必要な場合には前記第２の支持部材とともに積み上げることで、長尺部材１０が２段以上に積層された梱包体とすることもできる。
【符号の説明】
【００２８】
Ａ…梱包体、
１０…長尺部材、
１２…ほぼ直線状の本体部分、
１３…左右の曲がり部、
２０…支持補助板、
３０…支持部材、
３１…支持部材の底板、
３２…支持部材の縦板、
３３…支持補助板を収容するための支持部材の空間、
４０…パレット、
４１…止め付けバンド。
【図１】
0003180601.tif 000003
【図２】
0003180601.tif 000004
【図３】
0003180601.tif 000005
【図４】
0003180601.tif 000006
【図５】
0003180601.tif 000007